(57)【特許請求の範囲】
【請求項１】
基材と覆蓋材から構成され、該基材をドア枠とともに床下地に固定し、床材施工後に該覆蓋材を該基材へ被せることにより組み立てられるドア枠一体型組立式敷居であって、基材は巾方向略中央に中央峡部と、該中央峡部の左右両外側にそれぞれ凸平面部と、さらに巾方向左右両端に支持脚を有するトラス構造を有し、覆蓋材は巾方向略中央に挿入部と、該挿入部の左右両外側にそれぞれ凸部を有し、基材に覆蓋材を被せた状態においては、該基材の凸平面部と支持脚とが該覆蓋材に当接するとともに、該覆蓋材の挿入部と該基材の中央峡部に設けられた受け入れ部および該覆蓋材の凸部と該基材の支持脚とが当接することで一体化されることを特徴とするドア枠一体型組立式敷居。
【請求項２】
施工後、床表面からの突出は覆蓋材の厚み約５ミリ以下に限定され、且つ該覆蓋材の両端縁は面取りが施されていることを特徴とする請求項１記載のドア枠一体型組立式敷居。
【請求項３】
覆蓋材の挿入部底面には基材と床下地とを固定した固着具の頭部を収納する凹所が形成されていることを特徴とする請求項１記載のドア枠一体型組立式敷居。
【発明の詳細な説明】
【０００１】
【発明の属する技術分野】
本発明は，建具用敷居に関するもので，詳しくは，硬質樹脂で成形された基材と覆蓋材のうち，基材とドア枠とを予め一体化して床下地に固定し，床材施工後，覆蓋材を基材へ被せることにより組み立てられるドア枠一体型組立式敷居に関する。
【０００２】
【従来の技術】
図５に示すように，従来の組立式建具用敷居においては，取付基体５０と敷居本体５１からなり，取付基体５０に表面への突出が殆どない敷居本体５１を嵌合固定することにより施工を容易にし，住宅環境のバリアフリー化を行っている。（例えば，実用新案登録第３０４０２２８号公報参照）。
【０００３】
【発明が解決しようとする課題】
しかし，従来の組立式建具用敷居にあっては，ドア枠材との一体化は考慮されておらず，仮に一体化したとしても，取付基体５０の巾寸法よりも大きいドア枠材の場合，嵌合脚５２が障害となりドア枠材の取り付けが困難であり，一体化ができず，そのぶん施工行程が複雑であった。さらに，ドア枠材を取り付けるために取付基体５０の底面から裏打ちした固着具の頭部が，床下地と密着した取付基体５０の底面の平面性を阻害し，結果としてぐらつきの原因となった。また，本来最も応力を受けやすい敷居本体中央付近が空洞であったがゆえにこの敷居本体５１のたわみやわれを生じるおそれがあるという問題点があった。
【０００４】
ここに本発明の目的は，住居施工の短縮化を図るために，あらゆる巾寸法を有するドア枠材と一体化でき，ドア枠材との一体化に用いた固着具頭部が収納される空間を有し，さらに高耐久性で，且つ軽量のトラス構造を基材とするドア枠一体型組立式敷居を提供することである。
【０００５】
【課題を解決するための手段】
そのため，本発明において，ドア枠一体型組立式敷居を構成している基材を軽量且つ強度の高いトラス骨格にて形成することを特徴とする。ここでトラス骨格とは，通常，重量がかかる場所での支持構造として用いられ，小断面材を組み合わせてトラス骨格を形成することによって，大断面材と同等，あるいはそれ以上の耐久性が得られるものである。
【０００６】
またこの基材がトラス構造であることから，長手方向の凸部を平面とすることによりこの凸平面部でドア枠材の底面と当接し，この凸平面部の裏側から固着具にてドア枠材と一体化され，且つ固着具頭部を凸平面部の下方と床下地との間に収納することによって，ドア枠と共に基材中央峡部で固着具にて床下地に安定して固定されることを特徴とする。
【０００７】
また覆蓋材はその巾方向中央に長手方向に沿って挿入部が形成され，基材の中央峡部とその両側内壁に施された挿入部の受け入れ部に埋込固定されると共に，この覆蓋材の巾方向両側には横ずれを防止するため，凸部が形成されていることを特徴とする。
【０００８】
施工後，床表面からの突出は覆蓋材の厚み約５ミリ以下に限定され，且つこの覆蓋材の両端縁は面取りが施されていることを特徴とする。
【０００９】
覆蓋材の中央挿入部底面にはドア枠と共に基材と床下地とを固定した固着具の頭部を収納する凹所が形成されていることを特徴とする。
【００１０】
【発明の実施の形態】
以下に，本発明の実施の形態を詳細に説明すると，図１において基材１の巾方向両側の凸平面部２はドア枠材１３の底面１３ａに当接し，この両面の裏側から固着具３によって基材１とドア枠材１３とを一体化する。このとき，この固着具頭部３ａは凸平面部２下方の空間に収納されることを特徴とする。
【００１１】
図２において一体化した基材１とドア枠材１３とを床下地１４上に設置し，基材１の中央峡部４で固着具５にて床下地１４に固定する。また，この基材１の巾方向両側支持脚９の高さはトラス構造における凸平面部２の高さと同等とするのが望ましい。
【００１２】
図３において覆蓋材６の巾方向中央には長手方向に沿って挿入部７が形成され，この挿入部７は基材の中央峡部４とその内壁に施された受け入れ部８に埋込固定される。したがって挿入部７の埋込により，敷居中央部の強度が向上し，より中央集中荷重に対する耐性が増加する。また，覆蓋材６の巾方向両側には横ずれを防止するため，基材１の巾方向両側支持脚９を固定する凸部１０が形成されている。
また，覆蓋材６の中央挿入部７底面にはドア枠１３と共に基材１と床下地１４とを固定した固着具５の頭部５ａを収納する凹所１１が形成されている。さらにこの凹所１１が施されているため，覆蓋材６と基材１とを組み立てる際，多少のズレを生じていてもこの凹所１１がバネの役割を担い，しっかり組み込むことが可能となる。
【００１３】
施工後の状態を示した図４に示すように，床表面１５からの突出は覆蓋材６の厚み約５ミリ以下に限定され，且つこの覆蓋材６の両端縁は面取り１２が施されている。したがって安全な横断が可能となる。
【００１４】
なお図１〜図４に示される基材１および覆蓋材６は硬質樹脂にて形成され，また，たえず磨耗するため，表面に木目等の模様を印刷を施すのではなく，樹脂の混合により直接木目等の模様を施した方が良い。さらに覆蓋材６の上面には戸当たりのための突起や戸車が走行するレール溝などを設置しても良く，様々な応用が可能である。
【００１５】
【発明の効果】
本発明は，以上説明したような形態で実施され，以下に記載されるような効果を奏する。
本発明であるドア枠一体型組立式敷居において，これを構成している基材の構造をトラス状にし，トラスの高さを均一に設計することにより，あらゆる巾寸法を有するドア枠材との一体化が実現し，住居施工行程が簡略化できる。
さらにこのトラス構造の中央に覆蓋材の挿入部を組み込むことにより，密度が高まり，強度が向上する。したがって全体として軽量であり，且つ高耐久性を有するドア枠一体型組立式敷居を提供することができる。
またこのドア枠一体型組立式敷居は施工後，床表面からの突出部分は殆ど存在せず，安全に横断でき，車椅子等の走行も可能である。
【図面の簡単な説明】
【図１】本発明の第１実施形態の概略を示す要部斜視図である。
【図２】本発明の第２実施形態の概略を示す要部斜視図である。
【図３】本発明の第３実施形態の概略を示す断面図である。
【図４】本発明の施工形態全体を示す斜視図である。
【図５】従来例である組立式建具用敷居における施工状態を示す要部断面図である。
【符号の説明】
１            基材
２            凸平面部
３            固着具
３ａ          固着具頭部
４            中央峡部
５            固着具
５ａ          固着具頭部
６            覆蓋材
７            挿入部
８            受け入れ部
９            支持脚
１０          凸部
１１          凹所
１２          面取り
１３          ドア枠
１３ａ        ドア枠底面
１４          床下地
１５          床表面
【図１】
0003906955.tif 000002
【図２】
0003906955.tif 000003
【図３】
0003906955.tif 000004
【図４】
0003906955.tif 000005
【図５】
0003906955.tif 000006